(57)【要約】【課題】生産性が良く、安価で、スイッチの信号取り出しの確実な多方向入力装置を提供する。【解決手段】本発明の多方向入力装置は、スイッチ２８の第１，第２接点部材２９，３０のそれぞれに導通された第１，第２摺動片３２，３３が設けられると共に、Ｘ方向、Ｙ方向スライド部材９，１０には、互いに絶縁された状態で、第１，第２摺動片３２，３３のそれぞれに接触する第１，第２導電部Ｄ１，Ｄ２が設けられ、第１、第２導電部Ｄ１，Ｄ２を介して、スイッチのＯＮ、ＯＦＦ信号を取り出すようにしたため、Ｘ方向、Ｙ方向スライド部材９，１０がスイッチの取り出しに兼用できて、安価で、生産性の良いものが得られる。【選択図】　　　　図１
2004021789.tif 000002
【特許請求の範囲】
【請求項１】
ハウジングに対してＸ方向にスライド可能なＸ方向スライド部材と、このＸ方向スライド部材に直交した状態で交差し、Ｙ方向にスライド可能なＹ方向スライド部材と、前記Ｘ方向、Ｙ方向スライド部材を可動するためのスライド可能な操作部材と、この操作部材のＸ方向の移動によって、前記Ｘ方向スライド部材を介して操作されるＸ方向検出部材と、前記操作部材のＹ方向の移動によって、前記Ｙ方向スライド部材を介して操作されるＹ方向検出部材と、前記操作部材に設けられたプッシュ型のスイッチとを備え、前記スイッチは、互いに絶縁された第１，第２接点部材と、この第１，第２接点部材間をＯＮ、ＯＦＦさせるための可動接点とで構成され、前記第１，第２接点部材のそれぞれに導通された第１，第２摺動片が設けられると共に、前記Ｘ方向、Ｙ方向スライド部材には、互いに絶縁された状態で、前記第１，第２摺動片のそれぞれに接触する第１，第２導電部が設けられ、前記Ｘ方向スライド部材に設けられた前記第１導電部と前記Ｙ方向スライド部材に設けられた前記第２導電部とを介して、前記スイッチのＯＮ、ＯＦＦ信号を取り出すようにしたことを特徴とする多方向入力装置。
【請求項２】
前記Ｘ方向、Ｙ方向スライド部材が金属板で構成されて、前記第１，第２導電部を形成したことを特徴とする請求項１記載の多方向入力装置。
【請求項３】
前記第１，第２摺動片が前記Ｘ方向、Ｙ方向スライド部材の下面側で摺動するようにしたことを特徴とする請求項１，又は２記載の多方向入力装置。
【請求項４】
前記スイッチの信号を取り出すための取り出し手段を備え、この取り出し手段は、Ｘ、Ｙ用摺動子と、このＸ、Ｙ用摺動子のそれぞれに接触するＸ，Ｙ用摺動接点とを有し、前記Ｘ、Ｙ用摺動子と前記Ｘ，Ｙ用摺動接点の何れか一方が前記Ｘ方向、Ｙ方向スライド部材の一端側に配置されると共に、他方が前記ハウジングに配置されたことを特徴とする請求項３記載の多方向入力装置。
【請求項５】
前記Ｘ，Ｙ用摺動接点が異なる絶縁基板に設けられ、前記絶縁基板のそれぞれが前記Ｘ方向、Ｙ方向スライド部材の一端側に取り付けられると共に、前記Ｘ、Ｙ用摺動子がハウジングに取り付けられたことを特徴とする請求項４記載の多方向入力装置。
【請求項６】
前記Ｘ方向、Ｙ方向検出部材は、それぞれ検出素子と、この検出素子上を摺動する摺動子とで構成され、前記Ｘ，Ｙ用摺動接点のそれぞれが前記検出素子に並設されたことを特徴とする請求項４，又は５記載の多方向入力装置。
【請求項７】
前記Ｘ用摺動接点と前記検出素子を設けた絶縁基板が前記Ｘ方向スライド部材の一端側に取り付けられると共に、前記Ｙ用摺動接点と前記検出素子を設けた絶縁基板が前記Ｙ方向スライド部材の一端側に取り付けられたことを特徴とする請求項６記載の多方向入力装置。
【請求項８】
前記操作部材の移動範囲の末端、或いは末端近傍の位置で操作されるＸ方向、Ｙ方向末端検出部材を備え、前記Ｘ方向、Ｙ方向末端検出部材は、それぞれ検出素子と、この検出素子上を摺動する摺動子とで構成され、前記Ｘ，Ｙ用摺動接点のそれぞれが前記検出素子に並設されたことを特徴とする請求項４から７の何れかに記載の多方向入力装置。
【請求項９】
前記Ｘ用摺動接点と前記検出素子を設けた絶縁基板が前記Ｘ方向スライド部材の端部に取り付けられると共に、前記Ｙ用摺動接点と前記検出素子を設けた絶縁基板が前記Ｙ方向スライド部材の端部に取り付けられたことを特徴とする請求項８記載の多方向入力装置。
【発明の詳細な説明】
【０００１】
【発明の属する技術分野】
本発明はゲーム機器等の電子機器に使用される多方向入力装置に関する。
【０００２】
【従来の技術】
従来の多方向入力装置の図面を説明すると、図６は従来の多方向入力装置の分解斜視図、図７は従来の多方向入力装置に係り、操作部材の構成を示す断面図、図８は従来の多方向入力装置に係り、操作部材が中央部に位置した状態における操作部材と固定接点パターンとの関係を示す要部平面図、図９は従来の多方向入力装置に係り、操作部材が中央部から移動した状態における操作部材と固定接点パターンとの関係を示す要部平面図、図１０は従来の多方向入力装置に係り、絶縁基板の裏面図である。
【０００３】
次に、従来の多方向入力装置の構成を図６〜図１０に基づいて説明すると、絶縁樹脂の成型品からなる箱形のハウジング５１は、底壁５１ａと、この底壁５１ａから上方に延びる側壁５１ｂとを有する。
このハウジング５１の底壁５１ａ上には、平面的な導電パターンからなる互いに分離した一対の幅広の固定接点パターン５２，５３が設けられると共に、この一対の固定接点パターン５２，５３は、側壁５１ｂ外に延びる引き出し部５２ａ、５３ａが設けられている。
【０００４】
板材からなるカバー５４は、中央部に四角状の孔５４ａを有し、このカバー５４は、ハウジング５１の上方の開放部を覆うように、ハウジング５１に取り付けられ、このカバー５４とハウジング５１とによって、一つの筺体が形成されている。
【０００５】
絶縁基板５５は、中央部に四角状の孔５５ａを有すると共に、この絶縁基板５５の下面には、図３０で示すように、Ｘ方向検出部材５６と、このＸ方向検出部材５６と直角方向に配置されたＹ方向検出部材５７とが設けられている。
そして、Ｘ方向、Ｙ方向検出部材５６，５７は、それぞれ２個のパルス用パターン５６ａ、５７ａと、１個のコモン用パターン５６ｂ、５７ｂとからなる検出素子５６ｃ、５７ｃで構成されている。
そして、この絶縁基板５５は、Ｘ方向、Ｙ方向検出部材５６，５７を下方にして、筺体内に固定されている。
【０００６】
絶縁材からなるＸ方向スライド部材５８は、中心部の長手方向に長孔５８ａを有し、このＸ方向スライド部材５８は、Ｘ方向にスライド移動可能に、ハウジング５１と絶縁基板５５間に取り付けられいる。
また、絶縁材からなるＹ方向スライド部材５９は、中心部の長手方向に長孔５９ａを有し、このＹ方向スライド部材５９は、Ｙ方向にスライド移動可能に、ハウジング５１と絶縁基板５５間に取り付けられている。
【０００７】
そして、Ｘ方向、Ｙ方向スライド部材５８，５９は、互いに直交した状態で交差状態で配置され、Ｘ方向、Ｙ方向スライド部材５８，５９のそれぞれの一端側には、バネ性ある金属板からなる摺動子６０，６１が取り付けられている。
この摺動子６０，６１は、それぞれＸ方向、Ｙ方向スライド部材５８，５９の移動と共に可動して、それぞれ検出素子５６ｃ、５７ｃ上を摺動する。
その結果、Ｘ方向、Ｙ方向検出部材５６，５７によって信号が検出され、Ｘ、Ｙ方向の座標が検出されるようになる。
【０００８】
操作部材６２は、絶縁樹脂の成型品からなる保持体６３と、この保持体６３に取り付けられた操作部６４とで構成されている。
また、保持体６３は、四角状の鍔状部６３ａと、この鍔状部６３ａから上方に延びる筒状部６３ｂと、鍔状部６３ａの四方に設けられた４個の弾性腕部６３ｃとで構成されおり、そして、筒状部６３ｂにおいて、操作部６４が軸線方向に移動可能に取り付けられている。
【０００９】
また、このような操作部材６２は、鍔状部６３ａが固定接点パターン５２，５３と、下方に位置するＸ方向スライド部材５８との間に位置すると共に、操作部６４がＸ方向、Ｙ方向スライド部材５８，５９の交差する長孔５８ａ、５９ａと、絶縁基板５５の孔５５ａ、及びカバー５４の孔５４ａを通って外方に突出している。
【００１０】
そして、この操作部材６２は、ハウジング５１に対して平面的にＸ、Ｙ方向にスライド移動可能となっており、操作部材６２が移動すると、Ｘ方向、Ｙ方向スライド部材５８，５９を引っかけて、Ｘ方向、Ｙ方向スライド部材５８，５９が操作部材６２の移動に追従して可動し、Ｘ方向、Ｙ方向検出部材５６，５７が操作されるようになる。
【００１１】
また、操作部材６２の移動範囲の末端近傍においては、弾性腕部６３ｃがハウジング５１の側壁５１ｂに当接して、ハウジング５１に対する操作部材６２の衝撃を軟らかくしている。
【００１２】
プッシュ型のスイッチ６５は、特に図７に示すように、一対の摺動接点６６、６７と、この一対の摺動接点６６，６７間をＯＮ、ＯＦＦするドーム状の可動接点６８とで構成されている。
この一対の摺動接点６６，６７は、それぞれ接触部６６ａ、６７ａと、この接触部６６ａ、６７ａを支持する板状の支持部６６ｂ、６７ｂと、この支持部６６ｂ、６７ｂに繋がれた接点部６６ｃ、６７ｃとを有する。
【００１３】
そして、一対の摺動接点６６，６７は、保持体６３に埋設して取り付けられ、接触部６６ａ、６７ａが下方に突出した状態で、板状の支持部６６ｂ、６７ｂが保持体６３の下面に露出すると共に、接点部６６ｃ、６７ｃが筒状部６３ｂの底面に露出した状態となっている。
【００１４】
また、可動接点６８は、操作部６４によって押圧可能に筒状部６３ｂ内に収納されて、周辺部が接点部６６ｃに常時接触すると共に、中央部が接点部６７ｃに接離可能に配置されており、操作部６４が押圧された際、可動接点６８が変形して、中央部が接点部６７ｃに接触して、一対の摺動接点６６，６７間をＯＮ状態とし、また、操作部６４の押圧を解除すると、可動接点５８は自己のバネ性により元の状態に戻って、一対の摺動接点６６，６７間がＯＦＦの状態となる。
【００１５】
このような構成を有するスイッチ６５は、操作部材６２が筺体に取り付けられた際、板状の支持部６６ｂ、６７ｂがそれぞれ固定接点パターン５２，５３と近接した状態で対向すると共に、接触部６６ａ、６７ａがそれぞれ固定接点パターン５２，５３に接触した状態となる。
【００１６】
そして、一方の接触部６６ａは、操作部材６２の移動範囲内において、一方の固定接点パターン５２との接触が離れることが無く、また、他方の接触部６７ａは、操作部材６２の移動範囲内において、他方の固定接点パターン５３との接触が離れることが無いようになっており、このため、操作部材６２の移動範囲内においては、スイッチ６５のＯＮ、ＯＦＦの信号が引き出し部５２ａ、５３ａから引き出せるようになっている。
【００１７】
板材からなる板状部材６９は、第１，第２板部７０，７１で構成され、第１板部７０は、カバー５４と絶縁基板５５の孔５４ａ、５５ａより大きな外形を有し、中央部に操作部６４と同等の大きさの孔７０ａが設けられ、また、第２板部７１は、カバー５４と絶縁基板５５の孔５４ａ、５５ａより大きな外形を有し、中央部のＹ方向に長孔７１ａが設けられている。
【００１８】
そして、第１板部７０は絶縁基板５５上に配置されると共に、第２板部７１は、第１板部７０とカバー５４との間に配置されて、第１，第２板部７０，７１によって、カバー５４の孔５４ａの目隠し用としての機能を果たしており、操作部６４が孔７０ａと長孔７１ａを通って外方に突出している。
また、操作部材６２をスライド移動した際、第１板部７０は、操作部材６２の移動に追従して可動するが、第２板部７１は、操作部材６２のＸ方向の移動時のみ可動し、Ｙ方向の移動時は可動しないようになっている。
【００１９】
次に、従来の多方向入力装置の動作を説明すると、操作部６４を摘んで操作部材６２をスライド移動すると、これに追従して、Ｘ方向、Ｙ方向スライド部材５８，５９、及び摺動子６０，６１が移動し、その結果、Ｘ方向、Ｙ方向検出部材５６，５７が操作されて、Ｘ、Ｙ方向の座標が検出されるようになる。
【００２０】
そして、このような操作部材６２の動作は、図８で示す移動範囲の中央の位置から図９で示す移動範囲の末端の位置の間で行われる。
その間において、一対の摺動接点６６，６７の接触部６６ａ、６７ａは、それぞれ固定接点パターン５２，５３との接触が維持された状態となる。
【００２１】
次に、操作部６４を押圧すると、可動接点６８が変形して、中央部が接点部６７ｃに接触して、一対の摺動接点６６，６７間がＯＮ状態となり、その結果、固定接点パターン５２，５３間が導通した状態となる。
また、操作部６４の押圧を解除すると、可動接点５８は自己のバネ性により元の状態に戻って、一対の摺動接点６６，６７間がＯＦＦの状態となり、その結果、固定接点パターン５２，５３間が非導通の状態となる。
このスイッチ６５によって、例えば、座標位置の決定等を行うものである。
【００２２】
【発明が解決しようとする課題】
従来の多方向入力装置において、スイッチ６５の取り出しには、ハウジング５１の底壁５１ａ上のほぼ全面に設けられた幅広の固定接点パターン５２，５３を必要とし、コスト高で、生産性が悪いという問題がある。
また、広幅の固定接点パターン５２，５３は、精度の高い平面度が必要で、生産性が悪く、固定接点パターン５２，５３への摺動接点６６，６７の接触の信頼性に欠けるという問題がある。
また、目隠し用の板状部材６９が存在しても、カバー５４の孔５４ａと板状部材６９の間から侵入した埃等は、絶縁基板５５上に落ち、この埃等が絶縁基板５５と板状部６９との間の平面部を経由して、絶縁基板５５の孔５５ａから固定接点パターン５２，５３上に侵入し、スイッチ６５の信号引出が不確実なるという問題がある。
【００２３】
そこで、本発明は、生産性が良く、安価で、スイッチの信号取り出しの確実な多方向入力装置を提供することを目的とする。
【００２４】
【課題を解決するための手段】
上記課題を解決するための第１の解決手段として、ハウジングに対してＸ方向にスライド可能なＸ方向スライド部材と、このＸ方向スライド部材に直交した状態で交差し、Ｙ方向にスライド可能なＹ方向スライド部材と、前記Ｘ方向、Ｙ方向スライド部材を可動するためのスライド可能な操作部材と、この操作部材のＸ方向の移動によって、前記Ｘ方向スライド部材を介して操作されるＸ方向検出部材と、前記操作部材のＹ方向の移動によって、前記Ｙ方向スライド部材を介して操作されるＹ方向検出部材と、前記操作部材に設けられたプッシュ型のスイッチとを備え、前記スイッチは、互いに絶縁された第１，第２接点部材と、この第１，第２接点部材間をＯＮ、ＯＦＦさせるための可動接点とで構成され、前記第１，第２接点部材のそれぞれに導通された第１，第２摺動片が設けられると共に、前記Ｘ方向、Ｙ方向スライド部材には、互いに絶縁された状態で、前記第１，第２摺動片のそれぞれに接触する第１，第２導電部が設けられ、前記Ｘ方向スライド部材に設けられた前記第１導電部と前記Ｙ方向スライド部材に設けられた前記第２導電部とを介して、前記スイッチのＯＮ、ＯＦＦ信号を取り出すようにした構成とした。
【００２５】
また、第２の解決手段として、前記Ｘ方向、Ｙ方向スライド部材が金属板で構成されて、前記第１，第２導電部を形成した。
また、第３の解決手段として、前記第１，第２摺動片が前記Ｘ方向、Ｙ方向スライド部材の下面側で摺動するようにした構成とした。
【００２６】
また、第４の解決手段として、前記スイッチの信号を取り出すための取り出し手段を備え、この取り出し手段は、Ｘ、Ｙ用摺動子と、このＸ、Ｙ用摺動子のそれぞれに接触するＸ，Ｙ用摺動接点とを有し、前記Ｘ、Ｙ用摺動子と前記Ｘ，Ｙ用摺動接点の何れか一方が前記Ｘ方向、Ｙ方向スライド部材の一端側に配置されると共に、他方が前記ハウジングに配置された構成とした。
【００２７】
また、第５の解決手段として、前記Ｘ，Ｙ用摺動接点が異なる絶縁基板に設けられ、前記絶縁基板のそれぞれが前記Ｘ方向、Ｙ方向スライド部材の一端側に取り付けられると共に、前記Ｘ、Ｙ用摺動子がハウジングに取り付けられた構成とした。
【００２８】
また、第６の解決手段として、前記Ｘ方向、Ｙ方向検出部材は、それぞれ検出素子と、この検出素子上を摺動する摺動子とで構成され、前記Ｘ，Ｙ用摺動接点のそれぞれが前記検出素子に並設された構成とした。
【００２９】
また、第７の解決手段として、前記Ｘ用摺動接点と前記検出素子を設けた絶縁基板が前記Ｘ方向スライド部材の一端側に取り付けられると共に、前記Ｙ用摺動接点と前記検出素子を設けた絶縁基板が前記Ｙ方向スライド部材の一端側に取り付けられた構成とした。
【００３０】
また、第８の解決手段として、前記操作部材の移動範囲の末端、或いは末端近傍の位置で操作されるＸ方向、Ｙ方向末端検出部材を備え、前記Ｘ方向、Ｙ方向末端検出部材は、それぞれ検出素子と、この検出素子上を摺動する摺動子とで構成され、前記Ｘ，Ｙ用摺動接点のそれぞれが前記検出素子に並設された構成とした。
【００３１】
また、第９の解決手段として、前記Ｘ用摺動接点と前記検出素子を設けた絶縁基板が前記Ｘ方向スライド部材の端部に取り付けられると共に、前記Ｙ用摺動接点と前記検出素子を設けた絶縁基板が前記Ｙ方向スライド部材の端部に取り付けられた構成とした。
【００３２】
【発明の実施の形態】
本発明の多方向入力装置の図面を説明すると、図１は本発明の多方向入力装置の要部断面図、図２は本発明の多方向入力装置に係り、スライド部材の配置状態を示す平面図、図３は本発明の多方向入力装置に係り、接点部材と摺動片の状態を示す平面図、図４は本発明の多方向入力装置に係り、スライド部材と検出部材等を説明するための裏面図、図５は本発明の多方向入力装置に係り、ハウジングの平面図である。
【００３３】
次に、本発明の多方向入力装置の構成を図１〜図５に基づいて説明すると、絶縁樹脂の成型品からなる箱形のハウジング１は、底壁１ａと、この底壁１ａの四方の外周部から上方に延びる側壁１ｂと、４隅に設けられた突起１ｃと、４個の側壁１ｂの近傍に位置する底壁１ａに設けられた４個の矩形状の孔１ｄと、対向する一対の側壁１ｂの外面に設けられた係止突部１ｅとを有する。
【００３４】
バネ性ある金属板からなる２組の摺動子２，３は、それぞれ複数個（３個）の摺動部２ａ、３ａと、この摺動部２ａ、３ａに繋がった端子部２ｂ、３ｂとを有する。
そして、これ等の摺動子２，３は、それぞれハウジング１に埋設されて取り付けられ、摺動部２ａ、３ａは、直角状態に位置する２個の孔１ｄ内に位置した状態で、孔１ｄから上方に突出し、また、端子部２ｂ、３ｂは、それぞれハウジング１から外方に突出している。
【００３５】
バネ性ある金属板からなる２組の摺動子４，５は、それぞれ複数個（３個）の摺動部４ａ、５ａと、この摺動部４ａ、５ａに繋がった端子部４ｂ、５ｂとを有する。
そして、これ等の摺動子４，５は、それぞれハウジング１に埋設されて取り付けられ、摺動部４ａ、５ａは、直角状態に位置する他の２個の孔１ｄ内に位置した状態で、孔１ｄから上方に突出し、また、端子部４ｂ、５ｂは、それぞれハウジング１から外方に突出している。
【００３６】
バネ性ある金属板からなる複数個のＸ用摺動子６は、１個の摺動部６ａと、この摺動部６ａに繋がった端子部６ｂとを有する。
そして、この摺動子６は、それぞれハウジング１に埋設されて取り付けられ、摺動部６ａは、互いに対向する位置ある２個の孔１ｄ内に位置した状態で、孔１ｄから上方に突出し、また、端子部６ｂは、それぞれハウジング１から外方に突出している。
また、Ｘ用摺動子６の摺動部６ａは、摺動部２ａ、４ａの外側で並設された状態となっている。
【００３７】
バネ性ある金属板からなる複数個のＹ用摺動子７は、１個の摺動部７ａと、この摺動部７ａに繋がった端子部７ｂとを有する。
そして、この摺動子７は、それぞれハウジング１に埋設されて取り付けられ、摺動部７ａは、互いに対向する位置ある他の２個の孔１ｄ内に位置した状態で、孔１ｄから上方に突出し、また、端子部７ｂは、それぞれハウジング１から外方に突出している。
また、Ｙ用摺動子７の摺動部７ａは、摺動部３ａ、５ａの外側で並設された状態となっている。
【００３８】
板材からなるカバー８は、四角形の上面板８ａと、この上面板８ａの中央部に設けられた四角状の孔８ｂと、上面板８ａの四方から下方に折り曲げられた側面板８ｃと、対向する一対の側面板８ｃに設けられた係止孔８ｄとを有する。
【００３９】
このカバー８は、上面板８ａがハウジング１の上方の開放部を覆うように配置され、係止孔８ｄ内にハウジング１の係止突起１ｅをスナップ係合させて、ハウジング１に取り付けられ、このカバー８とハウジング１とによって、一つの筺体が形成されている。
【００４０】
金属板からなるＸ方向スライド部材９は、中心部の長手方向に長孔９ａを有し、このＸ方向スライド部材９は、Ｘ方向にスライド移動可能に、ハウジング１内に取り付けられている。
また、金属板からなるＹ方向スライド部材１０は、中心部の長手方向に長孔１０ａを有し、このＹ方向スライド部材１０は、Ｙ方向にスライド移動可能に、ハウジング１内に取り付けられている。
【００４１】
そして、Ｘ方向、Ｙ方向スライド部材９，１０は、互いに直交した状態で交差状態で配置されると共に、Ｘ方向、Ｙ方向スライド部材９，１０は、互いに絶縁された状態で配置されて、Ｘ方向、Ｙ方向スライド部材９，１０によって、第１，第２導電部Ｄ１，Ｄ２が形成されている。
【００４２】
なお、この第１，第２導電部Ｄ１，Ｄ２は、金属板からなるＸ方向、Ｙ方向スライド部材９，１０で形成されたもので説明したが、Ｘ方向、Ｙ方向スライド部材９，１０を絶縁材で形成し、このＸ方向、Ｙ方向スライド部材９，１０に埋設した金属材、或いは、Ｘ方向、Ｙ方向スライド部材９，１０に形成した導電パターンで第１，第２導電部Ｄ１，Ｄ２を形成しても良い。
【００４３】
また、Ｘ方向スライド部材９の両端側には、絶縁材からなる第１，第２保持部材１１，１２が取り付けられると共に、Ｙ方向スライド部材１０の両端側には、絶縁材からなる第３，第４保持部材１３，１４が取り付けられている。
【００４４】
絶縁基板１５は、特に図４に示すように、矩形状をなし、この絶縁基板１５の一面には、検出素子１６が形成されている。
この検出素子１６は、中央部に位置する帯状の抵抗体１６ａと、この抵抗体１６ａの両端に接続され、抵抗体１６ａと並設された二つの導電体１６ｂ（ハッチング部分）とで構成されると共に、この検出素子１６は、Ｘ、Ｙ方向の座標位置を検出するために使用される。
【００４５】
また、この絶縁基板１５には、検出素子１６の外側に並設された導電パターンからなる一つの帯状の摺動接点４１が形成され、この摺動接点４１は、後述するスイッチ２８の信号を取り出すためのＸ、Ｙ方向の引き出し用として使用される。
【００４６】
この絶縁基板１５は、第１，第３保持部材１１，１３に掛け止めする等の適宜手段により取り付けられ、第１保持部材１１に取り付けられた絶縁基板１５上の検出素子１６には、摺動子２の３本の摺動部２ａが摺動可能となって、Ｘ方向検出部材１７が構成され、また、第３保持部材１３に取り付けられた絶縁基板１５上の検出素子１６には、摺動子３の３本の摺動部３ａが摺動可能となって、Ｙ方向検出部材１８が構成される。
【００４７】
そして、このＸ方向、Ｙ方向検出部材１７，１８によって、Ｘ、Ｙ方向の座標位置が検出され、Ｘ方向検出部材１７は、摺動子２の端子部２ｂから取り出されると共に、Ｙ方向検出部材１８は、摺動子３の端子部３ｂから取り出される。
また、Ｘ方向、Ｙ方向検出部材１７，１８は、互いに直角状態で配置されている。
なお、この検出素子１６は、抵抗体以外に、パルスを発生する導電パターン等を使用しても良い。
【００４８】
また、絶縁基板１５が第１保持部材１１に取り付けられた際、第１保持部材１１に取り付けられた絶縁基板１５上のＸ用摺動接点４１には、Ｘ用摺動子６が摺動可能となって、取り出し手段Ｔ１が形成されると共に、絶縁基板１５が第３保持部材１３に取り付けられた際、第３保持部材１３に取り付けられた絶縁基板１５上のＹ用摺動接点４１には、Ｙ用摺動子７が摺動可能となって、取り出し手段Ｔ３が形成されている。
【００４９】
更に、第１保持部材１１に取り付けられた絶縁基板１５上のＸ用摺動接点４１は、リベット等の適宜手段により第１導電部Ｄ１と導通され、この第１導電部Ｄ１が取り出し手段Ｔ１，即ち、Ｘ用摺動接点４１と摺動子６を介して、端子部６ｂから取り出されるようになる。
【００５０】
更に又、第３保持部材１３に取り付けられた絶縁基板１５上のＹ用摺動接点４１は、リベット等の適宜手段により第２導電部Ｄ２と導通され、この第２導電部Ｄ２が取り出し手段Ｔ３，即ち、Ｙ用摺動接点４１と摺動子７を介して、端子部７ｂから取り出されるようになる。
【００５１】
絶縁基板１９は、特に図４に示すように、矩形状をなし、この絶縁基板１９の一面には、検出素子２０が形成されている。
この検出素子２０は、絶縁基板１９の両端部に設けられたコ字状の導電体２０ａ（ハッチング部分）で構成され、この検出素子２０は、Ｘ、Ｙ方向の移動範囲の末端を検出するために使用される。
【００５２】
また、この絶縁基板１９には、検出素子２０の外側に並設された導電パターンからなる一つの帯状の摺動接点４２が形成され、この摺動接点４２は、後述するスイッチ２８の信号を取り出すためのＸ、Ｙ方向の引き出し用として使用される。
【００５３】
そして、この絶縁基板１９は、第２，第４保持部材１２，１４に掛け止めする等の適宜手段により取り付けられ、第２保持部材１２に取り付けられた絶縁基板１９上の検出素子２０には、摺動子４の摺動部４ａが摺動可能となって、Ｘ方向の末端検出部材２１が構成され、また、第４保持部材１４に取り付けられた絶縁基板１９上の検出素子２０には、摺動子５の摺動部５ａが摺動可能となって、Ｙ方向の末端検出部材２２が構成される。
【００５４】
即ち、導電体２０ａのそれぞれには、３本の摺動部４ａ、５ａの内の２本が接触して、信号が検出され、Ｘ方向の末端検出部材２１は、摺動子４の端子部４ｂから取り出されると共に、Ｙ方向の末端検出部材２２は、摺動子５の端子部５ｂから取り出される。
また、Ｘ、Ｙ方向の末端検出部材２１，２２は、互いに直角状態で配置されている。
なお、この検出素子２０は、導電体以外に、抵抗体等を使用しても良い。
【００５５】
また、絶縁基板１９が第２保持部材１２に取り付けられた際、第２保持部材１２に取り付けられた絶縁基板１９上のＸ用摺動接点４２には、Ｘ用摺動子６が摺動可能となって、取り出し手段Ｔ２が形成されると共に、絶縁基板１９が第４保持部材１４に取り付けられた際、第４保持部材１４に取り付けられた絶縁基板１９上のＹ用摺動接点４２には、Ｙ用摺動子７が摺動可能となって、取り出し手段Ｔ４が形成されている。
【００５６】
更に、第２保持部材１２に取り付けられた絶縁基板１９上のＸ用摺動接点４２は、リベット等の適宜手段により第１導電部Ｄ１と導通され、この第１導電部Ｄ１が取り出し手段Ｔ２，即ち、Ｘ用摺動接点４２と摺動子６を介して、端子部６ｂから取り出されるようになる。
【００５７】
更に又、第４保持部材１４に取り付けられた絶縁基板１９上のＹ用摺動接点４２は、リベット等の適宜手段により第２導電部Ｄ２と導通され、この第２導電部Ｄ２が取り出し手段Ｔ４，即ち、Ｙ用摺動接点４２と摺動子７を介して、端子部７ｂから取り出されるようになる。
【００５８】
なお、Ｘ方向、Ｙ方向検出部材１７，１８，末端検出部材２１，２２、及び取り出し手段Ｔ１，Ｔ２，Ｔ３，Ｔ４は、摺動子を固定側とし、絶縁基板を可動側にしたもので説明したが、両者を反対にして、摺動子を可動側とし、絶縁基板を固定側にしても良い。
【００５９】
操作部材２３は、絶縁樹脂の成型品からなる保持体２４と、この保持体２４に取り付けられる取付部２５と、保持体２４と取付部２５とで移動可能に保持された操作部２６とで構成されている。
【００６０】
保持体２４は、特に図３に示すように、四角状の鍔状部２４ａと、この鍔状部２４ａから上方に延びる筒状部２４ｂと、鍔状部２４ａの四方に設けられた４個の弾性腕部からなるダンパー部材２７とで構成されおり、この保持体２４は、鍔状部２４ａが底壁１ａ上に載置された状態で配置されている。
【００６１】
板状の取付部２５は、保持体２４の筒状部２４ｂ上に位置した状態で、保持体２４に設けた突起を熱カシメする等の手段により、取付部２５が保持体２４に取り付けられる。
この時、取付部２５と保持体２４は、Ｘ方向、Ｙ方向スライド部材９，１０を上下から挟むように配置された状態となっている。
【００６２】
また、絶縁樹脂の成型品からなる操作部２６は、特に図１に示すように、十字状に延びる係合部２６ａと、この係合部２６ａの中心から上方に延びる摘み部２６ｂと、係合部２６ａの中心から下方に延び、下面に半円球状の凸部を設けた押圧部２６ｃとを有する。
【００６３】
そして、この操作部２６は、保持体２４と取付部２５との間に係合部２６ａを位置した状態で、軸線方向に移動可能に取り付けられる。
この時、十字状の係合部２６ａは、Ｘ方向、Ｙ方向スライド部材９，１０の長孔９ａ、１０ａ内に係合すると共に、押圧部２６ｃは、長孔９ａ、１０ａの交差部を貫通した状態となっている。
【００６４】
そして、このような操作部材２３は、摘み部２６ｂがカバー８の孔８ｂを通って外部に突出すると共に、ハウジング１に対して平面的にスライド移動可能となり、この操作部材２３の移動時、Ｘ方向、Ｙ方向スライド部材９，１０を引っかけて、これを移動すると共に、絶縁基板１５，１９も共に移動し、その結果、絶縁基板１５の移動によって、Ｘ方向、Ｙ方向検出部材１７，１８が操作されるようになる。
【００６５】
また、操作部材２３の移動範囲の末端近傍においては、ダンパー部材２７がハウジング１の側壁１ｂに当接して、ハウジング１に対する操作部材２３の衝撃を軟らかくすると共に、絶縁基板１９の移動によって、Ｘ、Ｙ方向の末端検出部材２１，２２が操作されて、操作部材２３の移動範囲の末端、或いは末端近傍での信号が検出される。
【００６６】
即ち、操作部材２３が移動範囲の末端、或いは末端近傍に来た時、摺動子４，５が検出素子２０に接触して、Ｘ、Ｙ方向の末端検出部材２１，２２から信号が得られるようになる。
【００６７】
プッシュ型のスイッチ２８は、特に図１，図３に示すように、互いに絶縁された第１，第２接点部材２９，３０と、この第１，第２接点部材２９，３０間をＯＮ、ＯＦＦするドーム状の可動接点３１とで構成されている。
【００６８】
この第１，第２接点部材２９，３０は、接点部２９ａ、３０ａと、この接点部２９ａ、３０ａに繋がれた接続部２９ｂ、３０ｂとを有し、この第１，第２接点部２９，３０は、保持体２４に埋設して取り付けられ、接点部２９ａ、３０ａと接続部２９ｂ、３０ｂが筒状部２４ｂの底面に露出した状態となっている。
【００６９】
また、可動接点３１は、操作部２６によって押圧可能に筒状部２４ｂ内に収納されて、周辺部が接点部３０ａに常時接触すると共に、中央部が接点部２９ａに接離可能に配置されており、操作部２６が押圧された際、可動接点３１が変形して、中央部が接点部２９ａに接触して、第１，第２接点部材２９，３０間をＯＮ状態とし、また、操作部２６の押圧を解除すると、可動接点３１は自己のバネ性により元の状態に戻って、第１，第２接点部材２９，３０間がＯＦＦの状態となる。
【００７０】
バネ性ある金属板からなる第１，第２摺動片３２，３３は、それぞれ接続部２９ｂ、３０ｂの位置で取り付けられて、第１摺動片３２は第１接点部材２９に導通されると共に、第２摺動片３３は第２接点部材３０に導通されている。
そして、第１摺動片３２は、Ｘ方向スライド部材９の下面で第１導電Ｄ１に接触し、また、第２摺動片３３は、Ｙ方向スライド部材１０の下面で第２導電Ｄ２に接触し、第１，第２摺動片３２，３３は、操作部材２３と共に移動して、それぞれ第１，第２導電部Ｄ１，Ｄ２に摺動するようになっている。
【００７１】
従って、第１接点部材２９は、第１摺動片３２，第１導電部Ｄ１，及び取り出し手段Ｔ１，Ｔ２を介して外部に導出されると共に、第２接点部材３０は、第２摺動片３３，第２導電部Ｄ２，及び取り出し手段Ｔ３，Ｔ４を介して外部の導出されるようになっている。
【００７２】
板材からなる押さえ部材３４は、ハウジング１に取り付けられ、Ｘ方向、Ｙ方向スライド部材９，１０の浮き上がりを防止している。
また、板材からなる板状部材３５は、複数枚からなり、カバー８の孔８ｂの目隠し用としての機能を果たしている。
そして、操作部２６の摘み部２６ｂが押さえ部材３４と板状部材３５の孔を通って外方に突出している。
【００７３】
次に、本発明の多方向入力装置の動作を説明すると、操作部２６の摘み部２６ｂを摘んで操作部材２３をスライド移動すると、これに追従して、Ｘ方向、Ｙ方向スライド部材９，１０、及び絶縁基板１５，１９が移動し、その結果、Ｘ方向、Ｙ方向検出部材２１，２２が操作されて、Ｘ、Ｙ方向の座標が検出されるようになる。
【００７４】
そして、操作部材２３が移動範囲の末端近傍になると、ダンパー部材２７が側壁１ｂに当接し、また、ダンパー部材２７の弾性に抗して更に移動を続けると、保持体２４が側壁１ｂにぶつかって、操作部材２３の移動が停止する。
【００７５】
その間において、Ｘ方向の移動に際しては、Ｘ方向の末端検出部材２１が操作れて、Ｘ方向の末端の検出が行われ、また、Ｙ方向の移動に際しては、Ｙ方向の末端検出部材２２が操作されて、Ｙ方向の末端の検出が行われるようになる。
更に、操作部材２３の移動範囲において、第１，第２摺動片３２，３３は、第１，第２導電部Ｄ１，Ｄ２との接触が維持された状態となる。
【００７６】
次に、操作部２６を押圧すると、可動接点３１が変形して、中央部が接点部２９ａに接触して、第１，第２接点部材２９，３０間がＯＮ状態となり、その結果、取り出し手段Ｔ１，Ｔ２と取り出し手段Ｔ３，Ｔ４との間が導通した状態となる。
また、操作部２６の押圧を解除すると、可動接点３１は自己のバネ性により元の状態に戻って、第１，第２接点部材２９，３０間がＯＦＦの状態となり、その結果、取り出し手段Ｔ１，Ｔ２と取り出し手段Ｔ３，Ｔ４との間が非導通の状態となる。
このスイッチ２８によって、例えば、座標位置の決定等を行うものである。
【００７７】
なお、この実施例は、Ｘ方向、Ｙ方向検出部材、末端検出部材、及び取り出し手段において、摺動子が固定側に設けられると共に、検出素子と摺動接点が可動側に設けられたもので説明したが、摺動子が可動側に設けられ、又、検出素子と摺動接点が固定側に設けられても良い。
【００７８】
また、取り出し手段は、Ｘ方向、Ｙ方向検出部材と末端検出部材の双方に設けられたもので説明したが、取り出し手段は、Ｘ方向、Ｙ方向検出部材と末端検出部材の何れか一方に設けても良い。
【００７９】
【発明の効果】
本発明の多方向入力装置は、ハウジングに対してＸ方向にスライド可能なＸ方向スライド部材と、このＸ方向スライド部材に直交した状態で交差し、Ｙ方向にスライド可能なＹ方向スライド部材と、Ｘ方向、Ｙ方向スライド部材を可動するためのスライド可能な操作部材と、この操作部材のＸ方向の移動によって、Ｘ方向スライド部材を介して操作されるＸ方向検出部材と、操作部材のＹ方向の移動によって、Ｙ方向スライド部材を介して操作されるＹ方向検出部材と、操作部材に設けられたプッシュ型のスイッチとを備え、スイッチは、互いに絶縁された第１，第２接点部材と、この第１，第２接点部材間をＯＮ、ＯＦＦさせるための可動接点とで構成され、第１，第２接点部材のそれぞれに導通された第１，第２摺動片が設けられると共に、Ｘ方向、Ｙ方向スライド部材には、互いに絶縁された状態で、第１，第２摺動片のそれぞれに接触する第１，第２導電部が設けられ、Ｘ方向スライド部材に設けられた第１導電部とＹ方向スライド部材に設けられた第２導電部とを介して、スイッチのＯＮ、ＯＦＦ信号を取り出すようにした構成とした。
このような構成によって、Ｘ方向、Ｙ方向スライド部材がスイッチの取り出しに兼用できて、従来に比して安価で、生産性の良いものが得られる。
また、第１，第２導電部は、従来の固定接点パターンに比して幅狭で、精度の高い平面度を必要とせず、接触の信頼性の高いものが得られる。
【００８０】
また、Ｘ方向、Ｙ方向スライド部材が金属板で構成されて、第１，第２導電部を形成したため、その構成が簡単で、安価で、生産性の良いものが得られる。
【００８１】
また、第１，第２摺動片がＸ方向、Ｙ方向スライド部材の下面側で摺動するようにしたため、第１，第２導電部への埃等の付着が極めて少なく、スイッチの信号取り出しの確実なものが得られる。
【００８２】
また、スイッチの信号を取り出すための取り出し手段を備え、この取り出し手段は、Ｘ、Ｙ用摺動子と、このＸ、Ｙ用摺動子のそれぞれに接触するＸ，Ｙ用摺動接点とを有し、Ｘ、Ｙ用摺動子とＸ，Ｙ用摺動接点の何れか一方がＸ方向、Ｙ方向スライド部材の一端側に配置されると共に、他方がハウジングに配置されたため、取り出しの自由度が得られて好適でる。
【００８３】
また、Ｘ，Ｙ用摺動接点が異なる絶縁基板に設けられ、絶縁基板のそれぞれがＸ方向、Ｙ方向スライド部材の一端側に取り付けられると共に、Ｘ、Ｙ用摺動子がハウジングに取り付けられたため、Ｘ方向、Ｙ方向検出部材や末端検出部材と同様に形成できて、生産性の良好なものが得られる。
【００８４】
また、Ｘ方向、Ｙ方向検出部材は、それぞれ検出素子と、この検出素子上を摺動する摺動子とで構成され、Ｘ，Ｙ用摺動接点のそれぞれが検出素子に並設されたため、小型で、安価なものが得られる。
【００８５】
また、Ｘ用摺動接点と検出素子を設けた絶縁基板がＸ方向スライド部材の一端側に取り付けられると共に、Ｙ用摺動接点と検出素子を設けた絶縁基板がＹ方向スライド部材の一端側に取り付けられたため、その構成が簡単で、操作の確実なものが得られる。
【００８６】
また、操作部材の移動範囲の末端、或いは末端近傍の位置で操作されるＸ方向、Ｙ方向末端検出部材を備え、Ｘ方向、Ｙ方向末端検出部材は、それぞれ検出素子と、この検出素子上を摺動する摺動子とで構成され、Ｘ，Ｙ用摺動接点のそれぞれが検出素子に並設されたため、小型で、安価なものが得られる。
また、末端検出部材を設けることによって、操作部材の移動範囲の末端、或いは末端近傍の位置で、信号を検出できて、この検出を種々の機能に利用できる。
【００８７】
また、Ｘ用摺動接点と前記検出素子を設けた絶縁基板が前記Ｘ方向スライド部材の端部に取り付けられると共に、Ｙ用摺動接点と検出素子を設けた絶縁基板がＹ方向スライド部材の端部に取り付けられたため、その構成が簡単で、操作の確実なものが得られる。
【図面の簡単な説明】
【図１】本発明の多方向入力装置の要部断面図。
【図２】本発明の多方向入力装置に係り、スライド部材の配置状態を示す平面図。
【図３】本発明の多方向入力装置に係り、接点部材と摺動片の状態を示す平面図。
【図４】本発明の多方向入力装置に係り、スライド部材と検出部材等を説明するための裏面図。
【図５】本発明の多方向入力装置に係り、ハウジングの平面図。
【図６】従来の多方向入力装置の分解斜視図。
【図７】従来の多方向入力装置に係り、操作部材の構成を示す断面図。
【図８】従来の多方向入力装置に係り、操作部材が中央部に位置した状態における操作部材と固定接点パターンとの関係を示す要部平面図。
【図９】従来の多方向入力装置に係り、操作部材が中央部から移動した状態における操作部材と固定接点パターンとの関係を示す要部平面図。
【図１０】従来の多方向入力装置に係り、絶縁基板の裏面図。
【符号の説明】
１　ハウジング
１ａ　底壁
１ｂ　側壁
１ｃ　突起
１ｄ　孔
１ｅ　係止突起
２　摺動子
２ａ　摺動部
２ｂ　端子部
３　摺動子
３ａ　摺動部
３ｂ　端子部
４　摺動子
４ａ　摺動部
４ｂ　端子部
５　摺動子
５ａ　摺動部
５ｂ　端子部
６　Ｘ用摺動子
６ａ　摺動部
６ｂ　端子部
７　Ｙ用摺動子
７ａ　摺動部
７ｂ　端子部
８　カバー
８ａ　上面板
８ｂ　孔
８ｃ　側面板
８ｄ　係止孔
９　Ｘ方向スライド部材
９ａ　長孔
１０　Ｙ方向スライド部材
１０ａ　長孔
Ｄ１　第１導電部
Ｄ２　第２導電部
１１　第１保持部材
１２　第２保持部材
１３　第３保持部材
１４　第４保持部材
１５　絶縁基板
１６　検出素子
１６ａ　抵抗体
１６ｂ　導電体
１７　Ｘ方向検出部材
１８　Ｙ方向検出部材
１９　絶縁基板
２０　検出素子
２０ａ　導電体
２１　Ｘ方向の末端検出部材
２２　Ｙ方向の末端検出部材
２３　操作部材
２４　保持体
２４ａ　鍔状部
２４ｂ　筒状部
２５　取付部
２６　操作部
２６ａ　係合部
２６ｂ　摘み部
２６ｃ　押圧部
２７　ダンパー部材
２８　スイッチ
２９　第１接点部材
２９ａ　接点部
２９ｂ　接続部
３０　第２接点部材
３０ａ　接点部
３０ｂ　接続部
３１　可動接点
３２　第１摺動片
３３　第２摺動片
３４　押さえ部材
３５　板状部材
４１　摺動接点
４２　摺動接点
Ｔ１　取り出し手段
Ｔ２　取り出し手段
Ｔ３　取り出し手段
ｔ４　取り出し手段
【図１】
2004021789.tif 000003
【図２】
2004021789.tif 000004
【図３】
2004021789.tif 000005
【図４】
2004021789.tif 000006
【図５】
2004021789.tif 000007
【図６】
2004021789.tif 000008
【図７】
2004021789.tif 000009
【図８】
2004021789.tif 000010
【図９】
2004021789.tif 000011
【図１０】
2004021789.tif 000012